(57)【特許請求の範囲】
【請求項１】
一対のコネクタ手段を嵌合させることにより、それら両コネクタ手段にそれぞれ設けられた導電コンタクトの接点部どうしを互いに接触させるように構成された電気コネクタにおいて、
前記両コネクタ手段のうちの一方側の導電コンタクトに設けられた突起状摺動部と、他方側のコネクタ手段の導電コンタクトに設けられた溝状摺動部とを備え、それら突起状摺動部と溝状摺動部とが、前記両コネクタ手段の嵌合時に互いに接触して乗り越えるように相対移動することによって前記両コネクタ手段どうしの嵌合感を創出するように構成されたものであって、
前記一方側のコネクタ手段の導電コンタクトに設けられた突起状摺動部は、前記他方側のコネクタ手段の接点部に対して、前記両コネクタ手段の嵌合方向と直交する方向に位置をずらして配置され、前記両コネクタ手段の嵌合時に前記他方側のコネクタ手段の接点部と非接触となるように構成されていることを特徴とする電気コネクタ。
【請求項２】
前記一方側の導電コンタクトに設けられた突起状摺動部は、当該一方側の導電コンタクトに設けられた接点部に対して、前記両コネクタ手段の嵌合方向の前方側に配置されていることを特徴とする請求項１記載の電気コネクタ。
【請求項３】
前記他方側の導電コンタクトに設けられた接点部は、前記両コネクタ手段の嵌合方向と直交する方向において前記溝状摺動部の両側２箇所に配置されていることを特徴とする請求項１記載の電気コネクタ。
【請求項４】
前記一方側の導電コンタクトに設けられた突起状摺動部の突出高さが、前記他方側の導電コンタクトに設けられた溝状摺動部の溝深さよりも大きくなるように設定されていることを特徴とする請求項１記載の電気コネクタ。
【請求項５】
前記両コネクタ手段の一方側の導電コンタクトには、前記両コネクタ手段の嵌合方向において前記突起状摺動部から前後方向に沿って延在するガイド突規制部が設けられ、
前記ガイド突規制部が、前記溝状摺動部内に挿通可能に配置されていることにより前記嵌合方向と直交する方向における前記溝状摺動部の位置ずれを規制する構成になされていることを特徴とする請求項１記載の電気コネクタ。
【発明の詳細な説明】
【技術分野】
【０００１】
本発明は、互いに嵌合される一対のコネクタ手段の導電コンタクトの接点部どうしを接触させる構成になされた電気コネクタに関する。
【背景技術】
【０００２】
一般に、種々の電気機器において、一対のコネクタ手段どうしを嵌合させることによって信号線及びシールド線を印刷配線基板側に接続させるようにした電気コネクタが広く用いられている。例えば、下記の特許文献１では、同軸ケーブルの信号線（中心導体）及びシールド線（外部導体）が、プラグコネクタ等からなる第１のコネクタ手段に設けられた導電コンタクトに接続されているとともに、リセプタクルコネクタ等からなる第２のコネクタ手段の導電コンタクトが印刷配線基板に接続・固定されている。そして、例えば第１のコネクタ手段（プラグコネクタ）が第２のコネクタ手段（リセプタクルコネクタ）に対して上方側から嵌合されることにより、それら両コネクタ手段にそれぞれ設けられた導電コンタクトの接点部どうしを接触させて、同軸ケーブルの信号線及びシールド線を印刷配線基板側の導電路に対して電気的に接続させるようにしている。
【０００３】
このような電気コネクタにおいて、一対の両コネクタ手段どうしを嵌合させる際にあたって、確実に嵌合されたことを確認するための嵌合感（クリック感）を創出する構成を備えたものが従来から知られている。このものでは、両コネクタ手段のうちの一方側の導電コンタクトに、例えばピンプルと呼ばれる突起状摺動部が設けられている。その一方側の導電コンタクトに設けられた突起状摺動部（ピンプル）は、両コネクタ手段どうしの嵌合が完了される直前に、他方側の導電コンタクトの接点部を乗り越えるように相対移動する配置関係になされており、その突起状摺動部が接点部を乗り越える際の押し込み抵抗感や嵌合音等によって嵌合感（クリック感）を得るようにしている。
【０００４】
しかしながら、このような構成を有する従来の電気コネクタでは、一方側の導電コンタクトの突起状摺動部（ピンプル）が、他方側の導電コンタクトの接点部を乗り越える際に比較的強い圧接状態で摺動するように構成されている。そのため、多数回にわたって嵌合が繰り返されたときには接点部に摩耗を生じてしまい、その結果として電気的な接続状態が不良になってしまうおそれがある。
【０００５】
また、下記の特許文献２に開示されたコネクタは、一対のコネクタどうしを嵌合させる際に、それらの各コネクタのコンタクトに設けられた接点部どうしを押圧接触させながら互いに乗り越えるように嵌合させるものであって、それら両接点部どうしが摺動して係合される際に嵌合感（クリック感）を得るように構成されている。しかしながら、同文献２にかかるコネクタでは、嵌合感（クリック感）を得るために両接点部どうしが押圧接触した状態で擦れ合う構成になされているため、それら両接点部における摩耗は避けられず、上述した従来例と同様な問題を有している。
【０００６】
【特許文献１】特開２００４−２５９６７２号公報
【特許文献２】特開平４−４３５７９号公報
【発明の開示】
【発明が解決しようとする課題】
【０００７】
そこで本発明は、簡易な構成で、コネクタ手段どうしの嵌合感を良好に得つつ接点部の摩耗を防止することによって、コネクタ手段どうしの嵌合性及び電気的接続特性を長期にわたって良好に維持することができるようにした電気コネクタを提供することを目的とする。
【課題を解決するための手段】
【０００８】
上記目的を達成するため本発明では、一対のコネクタ手段を嵌合させることにより、それら両コネクタ手段にそれぞれ設けられた導電コンタクトの接点部どうしを互いに接触させるように構成された電気コネクタにおいて、前記両コネクタ手段のうちの一方側の導電コンタクトに設けられた突起状摺動部と、他方側のコネクタ手段の導電コンタクトに設けられた溝状摺動部とを備え、それら突起状摺動部と溝状摺動部とが、前記両コネクタ手段の嵌合時に互いに接触して乗り越えるように相対移動することによって前記両コネクタ手段どうしの嵌合感を創出するように構成されたものであって、前記一方側のコネクタ手段の導電コンタクトに設けられた突起状摺動部は、前記他方側のコネクタ手段の接点部に対して、前記両コネクタ手段の嵌合方向と直交する方向に位置をずらして配置され、前記両コネクタ手段の嵌合時に前記他方側のコネクタ手段の接点部と非接触となる構成が採用されている。
【０００９】
このような構成を有する本発明によれば、両コネクタ手段を嵌合させる際に、一方側のコネクタ手段の導電コンタクトに設けられた突起状摺動部と、他方側のコネクタ手段の導電コンタクトに設けられた溝状摺動部とが互いに乗り越えるように押圧接触されることにより嵌合感が得られるようになっている。すなわち、接点部に対して突起状摺動部が接触することなく両コネクタ手段の嵌合感が得られることから、従来のような接点部の摩耗がなくなり、当該接点部における電気的接続状態が長期にわたって良好に維持されるようになっている。
【００１０】
このとき、一方側のコネクタの突起状摺動部が他方側のコネクタの溝状摺動部を乗り越えるように相対移動されるにあたって、他方側のコネクタの導電コンタクトに設けられた湾曲状接点部と一方側のコネクタの導電コンタクトとが離間されることによって一旦開放状態になされることから、それまでに上記両導電コンタクトどうしの間に加工粉や粉塵などのような異物が噛み込まれていたとしても、それらの異物が良好に除去されるようになっている。
【００１１】
また、本発明における一方側の導電コンタクトに設けられた突起状摺動部は、当該一方側の導電コンタクトに設けられた接点部に対して、前記両コネクタ手段の嵌合方向前方側に配置された構成を採用することが可能である。
【００１２】
また、本発明における他方側の導電コンタクトに設けられた接点部は、前記両コネクタ手段の嵌合方向と直交する方向において前記溝状摺動部の両側２箇所に配置された構成を採用することが可能である。
【００１３】
このような構成を有する本発明によれば、２箇所の接点部が同時に接触するように構成された２点接触構造の電気コネクタにおいて上述した作用が良好に得られる。
【００１４】
さらに、本発明における一方側の導電コンタクトに設けられた突起状摺動部の突出高さが、前記他方側の導電コンタクトに設けられた溝状摺動部の溝深さよりも大きくなるように設定された構成を採用することが可能である。
【００１５】
このような構成を有する本発明によれば、嵌合感を良好に得つつ、他方側の導電コンタクトに設けられた接点部に対して、一方側の導電コンタクトに設けられた突起状摺動部を確実に非接触状態に維持することが可能となる。
【００１６】
また、本発明における両コネクタ手段の一方側の導電コンタクトには、前記両コネクタ手段の嵌合方向において前記突起状摺動部から前後方向に沿って延在するガイド突規制部が設けられ、前記ガイド突規制部が、前記溝状摺動部内に挿通可能に配置されていることにより前記嵌合方向と直交する方向における前記溝状摺動部の位置ずれを規制する構成を採用することが可能である。
【００１７】
このような構成を有する本発明によれば、溝状摺動部がガイド突規制部によって位置ずれすることなく相対移動され、突起状摺動部に対して溝状摺動部が確実に接触されることとなり、接点部に対する突起状摺動部の接触が良好に防止されるようになっている。
【発明の効果】
【００１８】
以上述べたように本発明は、一方側のコネクタ手段の導電コンタクトに設けた突起状摺動部と、他方側のコネクタ手段の導電コンタクトに設けた溝状摺動部とを、両コネクタ手段の嵌合時に接触して乗り越えるように相対移動させて嵌合感を得るようにしたものであって、前記溝状摺動部を、両コネクタ手段の嵌合方向と直交する方向において接点部から位置をずらして配置して、両コネクタ手段の嵌合時に接点部に対して突起状摺動部を非接触状態とする構成を採用したことによって、接点部に対する突起状摺動部の接触をなくして従来のような突起状摺動部の接触による接点部の摩耗を防止するように構成したものであるから、簡易な構成で、コネクタ手段どうしの嵌合性及び電気的接続特性を長期にわたって良好に維持することができ、電気コネクタの信頼性を低廉かつ大幅に高めることができる。
【発明を実施するための最良の形態】
【００１９】
以下、複数本の同軸ケーブルを印刷配線基板側に接続する電気コネクタに本発明を適用した場合の実施形態に関する説明を図面に基づいて詳細に行う。
【００２０】
［コネクタ組立体の全体構造について］
まず、図１及び図２に表された本発明の一実施形態にかかる電気コネクタの組立体は、同軸ケーブルＳＣの端末部分が連結されたプラグコネクタ（第１のコネクタ手段）１と、図示を省略した印刷配線基板上に実装されるリセプタクルコネクタ（第２のコネクタ手段）２とからなる垂直嵌合型コネクタを構成するものである。そして、図示のようにリセプタクルコネクタ２の直上位置にプラグコネクタ１が配置された状態で、印刷配線基板と略直交する図示の下方側に向かってプラグコネクタ１が下降されることにより、前記リセプタクルコネクタ２の嵌合部にプラグコネクタ１の嵌合部が差し込まれて当該両コネクタ１，２どうしの嵌合が行われるようになっている。以下、プラグコネクタ１を差し込む方向を下方向とし、それとは反対の抜き出す方向を上方向とする。
【００２１】
上述したプラグコネクタ１における長手側両端縁部の一方側（図１の手前側）には、多極状に並列するように配列された複数本の同軸ケーブルＳＣの端末部分が連結されている。以下において、上記同軸ケーブルＳＣの端末部分が連結される側の端縁部を後端縁部と呼び、それとは反対側の他端縁部を前端縁部と呼ぶこととする。さらに、それらプラグコネクタ１の後端縁部及び前端縁部に対応するリセプタクルコネクタ２の各端縁部についても同様に後端縁部及び前端縁部と呼ぶこととし、それら後端縁部及び前端縁部に向かう方向を後方及び前方とする。
【００２２】
上述した同軸ケーブルＳＣの端末部分には、被覆材が皮剥きされることによってケーブル中心導体（信号線）ＳＣａ及びケーブル外部導体（シールド線）ＳＣｂが同軸状をなすように露出されており、当該同軸ケーブルＳＣの中心軸線に沿うようにして配置されたケーブル中心導体ＳＣａが、後述するプラグコネクタ１における信号伝送用の導電コンタクト（導電端子）のそれぞれに接続されることによって信号回路が構成されるようになっている。
【００２３】
また、上記ケーブル中心導体ＳＣａの外周側を取り囲むように配置されたケーブル外部導体ＳＣｂは、グランド部材を構成している上部グランドバーＧＵと下部グランドバーＧＤとの間において上下に挟持されるように配置されており、半田付けやカシメや圧接等により接続されることによりグランド回路が構成されるようになっている。これら上部グランドバーＧＵ及び下部グランドバーＧＤは、多極配列方向に沿って長尺状に延在する細長の帯板状部材から形成されており、上述した同軸ケーブルＳＣの多極配列されたケーブル外部導体（シールド線）ＳＣｂの上下各面に沿うように載置された状態で長尺状の半田材を用いて一括接続されている。そして、これらの両グランドバーＧＵ，ＧＤが、後述する導電性シェル等を介してグランド接続される構成になされている。
【００２４】
一方、上述した両コネクタ手段であるプラグコネクタ（第１のコネクタ手段）１及びリセプタクルコネクタ（第２のコネクタ手段）２は、細長状の絶縁ハウジング１１，２１をそれぞれ備えている。それらの絶縁ハウジング１１，２１には、長手方向に沿って多数の導電コンタクト（導電端子）１２，２２が適宜のピッチ間隔で多極配列されている。図２に表された各導電コンタクト１２，２２は、信号伝送用として構成されたものであるが、グランド接続用に構成することも可能である。これら複数体の導電コンタクト１２，２２の各々は、上述した多極配列方向（コネクタ長手方向）に隣接するものどうしが略同一の材質によって略同一の形状をなすように形成されており、絶縁ハウジング１１，２１に対して例えばインサート成形によって埋設された状態にて配置されている。
【００２５】
上述した両コネクタ１，２の各導電コンタクト（導電端子）１２，２２のうち、一方側のプラグコネクタ（第１のコネクタ手段）１に設けられた導電コンタクト１２は、前記絶縁ハウジング１１の前方側の領域（図２の右側領域）に延在する前方平坦部１２ａを備えている。また、その前方平坦部１２ａの後端部分から下方に向かって側面略Ｕ字状をなして延出する後方折曲部１２ｂを有している。そして、上記前方平坦部１２ａの上面側に対して、前述した同軸ケーブルＳＣのケーブル中心導体ＳＣａが上方側から載置するように当接された状態で半田接合される。このとき、複数体のケーブル中心導体ＳＣａと導電コンタクト１２との半田接合は一括的に行われる。
【００２６】
また、上述した導電コンタクト（導電端子）１２の後方折曲部１２ｂにおける側面略Ｕ字状の前端側（図２の右端側）に相当する壁面には、特に図３に示されているように平面状接点部１２ｃが設けられている。そして、この一方側のプラグコネクタ１が他方側のリセプタクルコネクタ２に対して上方側から嵌合されたときに、当該プラグコネクタ１側の導電コンタクト１２に設けられた平面状接点部１２ｃが、特に図４に示されているような形状を有する他方側のリセプタクルコネクタ２の導電コンタクト２２の湾曲状接点部２２ｃに対してバネ弾性的に接触される構成になされている。それら両導電コンタクト１２，２２どうしの詳細な接続構造については後段において説明する。
【００２７】
一方、前記プラグコネクタ（第１のコネクタ手段）１の絶縁ハウジング１１の上方側表面、及び前記リセプタクルコネクタ（第２のコネクタ手段）２の絶縁ハウジング２１の外周側表面は、導電性シェル１４及び２４によりそれぞれ覆われている。これらの導電性シェル１４，２４は、薄板状の金属部材から形成されており、例えばグランド回路を構成するように装着されている。
【００２８】
そのうちプラグコネクタ１側に設けられた導電性シェル１４は、前述した同軸ケーブルＳＣに対して前記両グランドバー（グランド部材）ＧＵ，ＧＤが半田接合された状態になされた上で前記絶縁ハウジング１１の上方側から被せるようにして装着されている。その装着された導電性シェル１４は、前記絶縁ハウジング１１の上面側から前端側にかけての部位、及び長手方向の両端部分を覆っている。そして、この導電性シェル１４の上面側には、多極配列方向であるコネクタ長手方向に沿って複数体のグランド接続舌片１４ａが切欠き形成されている。それらの各グランド接続舌片１４ａは、片持ちの板バネ状をなして斜め下方側に延在するように切り起こされており、当該各グランド接続舌片１４ａが、上述したように導電性シェル１４の装着が行われたときに、前記上部グランドバーＧＵの上面側に押圧接触されるようになっている。
【００２９】
また、前記導電性シェル１４の上面側における後端縁部分には、押圧突起状摺動部１４ｂが下方向に向かって略円弧状に突出するように形成されており、上述した導電性シェル１４の装着が行われたときに、当該押圧突起状摺動部１４ｂが同軸ケーブルＳＣの絶縁被膜に対して上方側から押圧接触されるようになっている。
【００３０】
これに対して、他方側のリセプタクルコネクタ２に設けられた導電性シェル２４は、絶縁ハウジング２１の外周部における後端側、前端側及び両端側を取り囲むように配置されている。そして、その導電性シェル２４におけるコネクタ長手方向の両端部分の各々には、外方側に向かって突出するように折り曲げ形成されたホールドダウン２４ａがそれぞれ設けられている。また、その導電性シェル２４の後端側縁部及び前端側縁部には、コネクタ長手方向（多極配列方向）に沿って適宜の間隔をなすように複数体のホールドダウン２４ｂが後方側及び前方側に突出するように形成されている。それらの各ホールドダウン２４ａ，２４ｂは、前記印刷配線基板（図示省略）上に形成されたグランド導電路（図示省略）に対して半田接合され、それによってグランド回路の電気的な接続が行われるとともに、リセプタクルコネクタ２の全体が強固に固定されるようになっている。
【００３１】
また、前記導電性シェル２４の後端側立壁部には、板バネ状をなすようにして後方側に向かって切り起こされた複数体のグランド接続舌片２４ｃが設けられている。これらの各グランド接続舌片２４ｃは、長手方向（多極配列方向）に沿って複数箇所にわたって設けられており、それらの各グランド接続舌片２４ｃの後方側突出の頂部に設けられたグランド接点凸部が、前記プラグコネクタ１がリセプタクルコネクタ２に嵌合されたときにグランド接続されるように構成されている。
【００３２】
［リセプタクルコネクタ側の導電コンタクトについて］
ここで、前述したように本実施形態にかかる電気コネクタは、一対のコネクタ手段である一方側のプラグコネクタ（第１のコネクタ手段）１と、他方側のリセプタクルコネクタ（第２のコネクタ手段）２とが互いに嵌合されることによって、プラグコネクタ１の導電コンタクト（導電端子）１２に設けられた平面状接点部１２ｃが、リセプタクルコネクタ２の導電コンタクト（導電端子）２２に設けられた湾曲状接点部２２ｃに対してバネ弾性的に接触される構成になされているが、そのときのリセプタクルコネクタ２の導電コンタクト２２に設けられた湾曲状接点部２２ｃは、図２及び図４に示されているような構造になされている。
【００３３】
すなわち、その他方側のリセプタクルコネクタ（第２のコネクタ手段）２に配置された導電コンタクト（導電端子）２２には、上述した絶縁ハウジング２１の前端縁部に相当する部位に略水平に延在する平坦状の前方半田接合部２２ａが設けられている。この前方半田接合部２２ａは、実際の使用時において前述した印刷配線基板（図示省略）上の信号導電路又はグランド導電路に載置されてから半田接合されるものであるが、当該前方半田接合部２２ａの後端部（図２の左端部）から後方に向かっては略横Ｓ字に延在する形状になされている。
【００３４】
より具体的には、上述した前方半田接合部２２ａの後端部から上方に向かって立ち上げられた導電コンタクト（導電端子）２２は、略逆Ｕ字状をなすように湾曲して下降した後に再び略Ｕ字状をなすように立ち上がる後端立壁部２２ｂを有している。そして、その後端立壁部２２ｂの上端側部分には、後方側（図２の左方側）に向かって略「く」の字状に湾曲して張り出す部位の頂部に湾曲状接点部２２ｃが設けられている。この導電コンタクト２２に設けられた湾曲状接点部２２ｃに対しては、前述したようにプラグコネクタ１がリセプタクルコネクタ２に嵌合されたときに、プラグコネクタ１側の平面状接点部１２ｃがバネ弾性的に接触されるように構成されており、それによって前記両接点部１２ｃ，２２ｃどうしの電気的な接続が行われるようになっている。
【００３５】
このリセプタクルコネクタ２の導電コンタクト（導電端子）２２に設けられた湾曲状接点部２２ｃは、前記プラグコネクタ１の導電コンタクト１２に設けられた平面状接点部１２ｃに向かって側面略円弧状に張り出すように形成されている（特に図４（ｄ）参照）。この湾曲状接点部２２ｃは、前記両コネクタ１，２どうしの嵌合方向と直交する端子幅方向（図２の紙面垂直方向）に適宜の間隔をなして２箇所設けられている。そして、それら２箇所の湾曲状接点部２２ｃ，２２ｃどうしの間部分には、コネクタ嵌合方向（図４の下方向）に沿って細長状に延在する横断面略台形状の凹溝からなる溝状摺動部２２ｄが形成されている。
【００３６】
その溝状摺動部２２ｄは、導電コンタクト（導電端子）２２の端子幅方向（図２の紙面垂直方向）における略中心部分を縦長溝状に窪ませるプレス形成によって、横断面略台形状の凹溝をなすように形成されている。その溝状摺動部２２ｄにおける横断面略台形状の底面に相当する部分は、当該溝状摺動部２２ｄの両側に配置された前記２箇所の湾曲状接点部２２ｃ，２２ｃに対して略平行に窪むように形成されているが、前記プラグコネクタ１側の平面状接点部１２ｃに向かって側面略円弧状をなして湾曲状に張り出すように形状を有している（特に図４（ｄ）参照）。
【００３７】
このように、接点部を２箇所形成されることによって、両コネクタ１，２が嵌合してプラグコネクタ１の導電コンタクト１２に設けられた平面状接点部１２ｃと、リセプタクルコネクタ２の導電コンタクト２２に設けられた湾曲状接点部２２ｃ，２２ｃとが接触するときに、２箇所の湾曲状接点部２２ｃ，２２ｃのうち一方の接点部に異物をかみこんだとしても、他方の接点部の電気的な接触を維持することが可能となる。
【００３８】
［プラグコネクタ側の導電コンタクトについて］
上述したように他方側のリセプタクルコネクタ２の導電コンタクト（導電端子）２２には、一対の湾曲状接点部２２ｃ，２２ｃ、及びそれら一対の湾曲状接点部２２ｃ，２２ｃどうしの間の溝状摺動部２２ｄが設けられているが、それらの各部に対応して前記他方側のプラグコネクタ１側の導電コンタクト（導電端子）１２には、特に図３に示されているように、一対の平面状接点部１２ｃ，１２ｃが端子幅方向（図２の紙面垂直方向）に隣接して設けられているとともに、それらの平面状接点部１２ｃ，１２ｃの近傍に突起状摺動部（ピンプル）１２ｄが設けられている。
【００３９】
このプラグコネクタ１側に設けられた平面状接点部１２ｃ，１２ｃは、前述したリセプタクルコネクタ２側の湾曲状接点部２２ｃ，２２ｃに対して接触可能となるように設けられたものであるが、それら一対の平面状接点部１２ｃ，１２ｃの下方位置、すなわちコネクタ嵌合方向における前方側に、前記突起状摺動部（ピンプル）１２ｄが設けられている。この突起状摺動部１２ｄは、前記リセプタクルコネクタ２に配置された導電コンタクト２２に向かって山形状に突出するように形成されている。
【００４０】
すなわち、そのプラグコネクタ１側の導電コンタクト（導電端子）１２に設けられた突起状摺動部（ピンプル）１２ｄは、リセプタクルコネクタ２側の導電コンタクト（導電端子）２２に設けられた溝状摺動部２２ｄに対応するように設けられている。具体的には、前記導電コンタクト１２の端子幅方向（図２の紙面垂直方向）の略中心部分に形成されていることによって、特に図５及び図６に示されているように、他方側のリセプタクルコネクタ２側の導電コンタクト２２の溝状摺動部２２ｄを構成している凹溝内に挿入可能となるように配置されている。そして、前記両コネクタ１，２どうしが嵌合される際に、上記突起状摺動部１２ｄの頂部が、前記溝状摺動部２２ｄの底面部に接触されるように次に説明する高さ調整がなされており、それによって嵌合感を得られるとともに、当該プラグコネクタ１側の突起状摺動部１２ｄが、前記リセプタクルコネクタ２側に設けられた２箇所の湾曲状接点部２２ｃ，２２ｃに対して非接触となるように構成されている。
【００４１】
上述したプラグコネクタ１側の突起状摺動部（ピンプル）１２ｄと、リセプタクルコネクタ２側の溝状摺動部２２ｄ及び湾曲状接点部２２ｃ，２２ｃとは、例えば図６（ｂ）に示されているような位置関係及び高さ関係となるように設定されている。すなわち、まずプラグコネクタ１側の突起状摺動部１２ｄは、リセプタクルコネクタ２側の湾曲状接点部２２ｃ，２２ｃと非接触となるように位置をずらして配置されている。より具体的には、一方側のプラグコネクタ１に設けられた突起状摺動部１２ｄが、前記両コネクタ１，２の嵌合方向と直交する端子幅方向（図２の紙面垂直方向）において前記導電コンタクト１２の略中央部分に設けられている。一方、他方側のリセプタクルコネクタ２に設けられた湾曲状接点部２２ｃ，２２ｃは、同方向において前記突起状摺動部１２ｄの両側において非接触となるように形成されている。これによって、前記両コネクタ１，２の嵌合時に、上記プラグコネクタ１側の突起状摺動部１２ｄがリセプタクルコネクタ２２側の溝状摺動部２２ｄの溝内に入り込む構成になされている。
【００４２】
さらに、上述した一方側のプラグコネクタ１の突起状摺動部１２ｄが有する突出高さｈ１は、前記他方側のリセプタクルコネクタ２２の溝状摺動部２２ｄが有する溝深さｈ２よりも大きくなるように設定されている（ｈ１＞ｈ２）。これによって、前記リセプタクルコネクタ２２側の溝状摺動部２２ｄの溝内に入り込んだプラグコネクタ１側の突起状摺動部１２ｄの頂部が、溝状摺動部２２ｄの底面部に押圧接触し、リセプタクルコネクタ２側の２箇所の湾曲状接点部２２ｃ，２２ｃがプラグコネクタ１側の導電コンタクト１２から浮き上がるように離間する構成になされている。
【００４３】
なお、図１０に示すように、プラグコネクタ１側の突起状摺動部１２ｄが、リセプタクルコネクタ２２側の溝状摺動部２２ｄの底面部ではなく、両側傾斜面部に対して押圧接触する関係に構成されている場合には、プラグコネクタ１の突起状摺動部１２ｄが有する突出高さｈ３が、リセプタクルコネクタ２２の溝状摺動部２２ｄが有する溝深さｈ２よりも小さく設定（ｈ２＞ｈ３）されていてもよい。この場合も、リセプタクルコネクタ２２側の溝状摺動部２２ｄの溝内に入り込んだプラグコネクタ１側の突起状摺動部１２ｄの頂部側縁部が、溝状摺動部２２ｄの両側傾斜面部に押圧接触し、リセプタクルコネクタ２側の２箇所の湾曲状接点部２２ｃ，２２ｃがプラグコネクタ１側の導電コンタクト１２から浮き上がるように離間する構成になされている。
【００４４】
すなわち、前記両コネクタ１，２どうしの嵌合操作が開始されることにより、それらの両導電コンタクト（導電端子）１２，２２が、図５（ａ）及び図６（ａ）のように接触し始め、さらに前記両コネクタ１，２どうしの嵌合が進むと、図５（ｂ）及び図６（ｂ）のように、前記プラグコネクタ１側の突起状摺動部（ピンプル）１２ｄが、リセプタクルコネクタ２２側の溝状摺動部２２ｄ内部に入り込む。このようにして前記リセプタクルコネクタ２２側の溝状摺動部２２ｄの内部に入り込んだプラグコネクタ１側の突起状摺動部１２ｄは、前記溝状摺動部２２ｄに乗り上げるようにして相対移動していく。
【００４５】
そして、上述したようにリセプタクルコネクタ２側の溝状摺動部２２ｄに対してプラグコネクタ１側の突起状摺動部（ピンプル）１２ｄが乗り上げることによって、当該突起状摺動部１２ｄの頂部（または頂部側縁部）が溝状摺動部２２ｄの底面部（または斜面部）に押圧するように接触すると、リセプタクルコネクタ２の導電コンタクト（導電端子）２２が後方側（図５の右方側）に押されることとなって同図（ｂ）中の矢印のように撓む。このようにリセプタクルコネクタ２側の導電コンタクト２２が後方側にやや変位されることによって、当該リセプタクルコネクタ２側の導電コンタクト２２に設けられた２箇所の湾曲状接点部２２ｃ，２２ｃが、プラグコネクタ１側の導電コンタクト（導電端子）１２から後方側に浮き上がるように離間することとなる。その結果、上記リセプタクルコネクタ２側の湾曲状接点部２２ｃ，２２ｃは、プラグコネクタ１側の導電コンタクト１２に対して非接触状態になされる。
【００４６】
そして、そのような非接触状態が維持されながら前記両コネクタ１，２どうしの嵌合操作がさらに進むと、プラグコネクタ１側の突起状摺動部（ピンプル）１２ｄが、図５の下方に向かって相対移動し、図５（ｃ）及び図６（ｃ）のようにリセプタクルコネクタ２側の溝状摺動部２２ｄからプラグコネクタ１側の突起状摺動部１２ｄが図示下方側に脱することとなる。これによって、上記リセプタクルコネクタ２側の導電コンタクト（導電端子）２２が、図５中（ｃ）の矢印のように元の位置に復帰するように変位し、それに伴って当該リセプタクルコネクタ２側の導電コンタクト（導電端子）２２に設けられた２箇所の湾曲状接点部２２ｃ，２２ｃが前記プラグコネクタ１側の導電コンタクト（導電端子）１２に設けられた２箇所の平面状接点部１２ｃ，１２ｃにそれぞれ接触して電気的な接続が行われ、それによって両コネクタ１，２どうしの嵌合操作が完了する。
【００４７】
このように一方側のプラグコネクタ１の突起状摺動部（ピンプル）１２ｄが、他方側のリセプタクルコネクタ２の溝状摺動部２２ｄを乗り越えるように相対移動されるにあたっては、リセプタクルコネクタ２側の導電コンタクト（導電端子）２２が後方側にやや撓むことにより適度な押し込み抵抗感が嵌合操作の完了直前に得られる。また、嵌合操作の完了時には、リセプタクルコネクタ２０側の湾曲状接点部２２ｃ，２２ｃが、プラグコネクタ１側の平面状接点部１２ｃ，１２ｃに向かって落ち込むように移動し、それら両接点部１２ｃ，２２ｃどうしが軽く衝突するようにして接触が行われる。その結果として、上記両接点部１２ｃ，２２ｃどうしが接触する際に適度な接触音が発生することとなり、その両コネクタ１，２どうしの嵌合操作時における押し込み抵抗感及び接触音に基づいて、当該両コネクタ１，２どうしの嵌合感（クリック感）が創出されるようになっている。
【００４８】
また、一方側のプラグコネクタ１の突起状摺動部１２ｄが、他方側のリセプタクルコネクタ２の溝状摺動部２２ｄを乗り越えるように相対移動されるにあたっては、リセプタクルコネクタ２の導電コンタクト２２に設けられた湾曲状接点部２２ｃ，２２ｃとプラグコネクタ１の導電コンタクト１２とが離れることとなる。そのため、前記両コネクタ１，２同士の嵌合操作が開始されることにより、それらの両導電コンタクト１２，２２が接触し始めたときに、当該両導電コンタクト１２，２２どうしの間に加工粉や粉塵などのような異物をかみこんでいたとしても、前述したように前記湾曲状接点部２２ｃ，２２ｃと前記導電コンタクト１２とが一旦離れることにより開放状態になされることから、それまでかみこんでいた異物を除去することが可能となる。
【００４９】
以上のような構成を有する本実施形態によれば、両コネクタ手段１，２を嵌合させる際に、一方側のプラグコネクタ１の導電コンタクト１２に設けられた突起状摺動部（ピンプル）１２ｄと、他方側のリセプタクルコネクタ２０の導電コンタクト２２に設けられた溝状摺動部２２ｄとが互いに乗り越えるように押圧接触されることにより嵌合感が得られるようになっている。その結果、２点接触構造をなすリセプタクルコネクタ２０側の２箇所の湾曲状接点部２２ｃ，２２ｃに対して、プラグコネクタ１側の突起状摺動部１２ｄが接触することなく両コネクタ１，２の嵌合感が得られることとなり、従来のような接点部の摩耗がなくなり、当該接点部における電気的接続状態が長期にわたって良好に維持されるようになっている。
【００５０】
特に、本実施形態にかかる電気コネクタは、前述したように２箇所の湾曲状接点部２２ｃ，２２ｃが平面状接点部１２ｃ，１２ｃに同時に接触するように構成された２点接触構造において良好な作用が得られる。
【００５１】
さらに本実施形態によれば、一方側のプラグコネクタ１の導電コンタクト１２に設けられた突起状摺動部（ピンプル）１２ｄの突出高さｈ１が、他方側のリセプタクルコネクタ２０の導電コンタクト２２に設けられた溝状摺動部２２ｄの溝深さｈ２よりも大きくなるように設定されていることから、嵌合感を良好に得つつ、リセプタクルコネクタ２０側の湾曲状接点部２２ｃ，２２ｃに対して、プラグコネクタ１側の突起状摺動部１２ｄを確実に非接触状態に維持することが可能となっている。
【００５２】
一方、上述した実施形態と同一の構成部材に対して同一の符号を付した図７ないし図９にかかる第２の実施形態においては、プラグコネクタ１側の導電コンタクト１２に設けられた突起状摺動部（ピンプル）１２ｄに対して、一対のガイド突規制部１２ｄ１，１２ｄ２が連設されている。これら一対のガイド突規制部１２ｄ１，１２ｄ２は、前記両コネクタ１，２の嵌合方向において前記突起状摺動部１２ｄから前後方向（上下方向）に沿ってそれぞれ所定の長さだけ延在するように設けられている。
【００５３】
このとき、上記ガイド突規制部１２ｄ１，１２ｄ２は、前記突起状摺動部（ピンプル）１２ｄよりも突出高さがやや低く抑えられており、それらのガイド突規制部１２ｄ１，１２ｄ２が、図示を省略したリセプタクルコネクタ２０側の溝状摺動部２２ｄの内部に挿通可能に配置されている。このようにプラグコネクタ１側のガイド突規制部１２ｄ１，１２ｄ２が、両コネクタ１，２の嵌合時に、リセプタクルコネクタ２０側の溝状摺動部２２ｄの内部に挿通されることによって（図９を参照）、上記嵌合方向と直交する方向における前記溝状摺動部２２ｄの位置ずれを規制する構成になされている。
【００５４】
このような構成を有する第２の実施形態によれば、溝状摺動部２２ｄがガイド突規制部１２ｄ１，１２ｄ２によって位置ずれすることなく相対移動され、突起状摺動部１２ｄに対して溝状摺動部２２ｄが確実に接触されることとなり、リセプタクルコネクタ２０側の湾曲状接点部２２ｃ，２２ｃに対するプラグコネクタ１側の突起状摺動部１２ｄの接触が良好に防止される。
【００５５】
さらに、上述した各実施形態における突起状摺動部（ピンプル）１２ｄ及び溝状摺動部２２ｄは、それらの幅寸法どうしの大小関係を種々に設定することが可能である。例えば図１１の（ａ）のように、突起状摺動部１２ｄの幅寸法Ｗ１を溝状摺動部２２ｄの幅寸法Ｗ２より小さくしたり、同図（ｂ）のように突起状摺動部１２ｄの幅寸法Ｗ１と溝状摺動部２２ｄの幅寸法Ｗ２とを略等しくしたり、また同図（ｃ）のように突起状摺動部１２ｄの幅寸法Ｗ１を溝状摺動部２２ｄの幅寸法Ｗ２より大きくするように設定することが可能である。
【００５６】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５７】
例えば、上述した各実施形態では、プラグコネクタの導電コンタクトに対して突起状摺動部（ピンプル）を設けるとともに、リセプタクルコネクタの導電コンタクトに溝状摺動部を設けるようにしているが、それとは逆に、リセプタクルコネクタの導電コンタクトに突起状摺動部（ピンプル）を設けるとともに、プラグコネクタ側の導電コンタクトに溝状摺動部を設けるようにしても良い。
【００５８】
また、上述した各実施形態は、垂直嵌合型の電気コネクタに本実施形態を適用したものであるが、水平嵌合型の電気コネクタに対しても同様に適用することができる。
【００５９】
さらにまた本発明は、上述した各実施形態のような同軸ケーブル用コネクタに限定されることはなく、絶縁ケーブル用コネクタや、同軸ケーブルと絶縁ケーブルとが複数混合したタイプの電気コネクタや、フレキシブル配線基板等が連結される電気コネクタ、プリント基板同士を接続する基板対基板コネクタ等についても同様に適用することが可能である。
【産業上の利用可能性】
【００６０】
以上のように本実施形態は、各種電気機器に使用される多種多様な電気コネクタに対して広く適用することが可能である。
【図面の簡単な説明】
【００６１】
【図１】本発明の第１の実施形態における一方側のプラグコネクタを、他方側のリセプタクルコネクタに対して上方側から嵌合しようとしている状態を後方側から表した外観斜視説明図である。
【図２】図１に示された一方側のプラグコネクタと他方側のリセプタクルコネクタとを嵌合した状態を表した図１中のii−ii線に沿った縦断面説明図である。
【図３】図１及び図２に示されたプラグコネクタに用いられている導電コンタクトに設けられた接点部の近傍を拡大して表したものであって、（ａ）は正面説明図、（ｂ）は側面説明図、（ｃ）は（ａ）中のiii−iii線に沿った断面説明図である。
【図４】図１及び図２に示されたリセプタクルコネクタの導電コンタクトに設けられた接点部の近傍を拡大して表したものであって、（ａ）は正面説明図、（ｂ）は側面説明図、（ｃ）は平面説明図、（ｄ）は（ａ）中のiv−iv線に沿った断面説明図である。
【図５】本発明の第１の実施形態における一方側のプラグコネクタの接点部を他方側のリセプタクルコネクタの接点部に対して上方側から嵌合する際の工程を、図２中の符号ｖにより囲まれた部位を拡大することにより表したものであって、（ａ）は嵌合の初期段階を表した縦断面説明図、（ｂ）は突起状摺動部が溝状摺動部に乗り上げた状態を表した縦断面説明図、（ｃ）は嵌合を完了した状態を表した縦断面説明図である。
【図６】本発明の第１の実施形態における一方側のプラグコネクタの接点部を、他方側のリセプタクルコネクタの接点部に対して上方側から嵌合する際の工程を拡大して表したものであって、（ａ）は嵌合の初期段階を表した横断面説明図、（ｂ）は突起状摺動部が溝状摺動部に乗り上げた状態を表した横断面説明図、（ｃ）は嵌合を完了した状態を表した横断面説明図である。
【図７】本発明の第２実施形態にかかるプラグコネクタの導電コンタクトに設けられた接点部の近傍を拡大して表したものであって、（ａ）は正面説明図、（ｂ）は側面説明図、（ｃ）は（ａ）中のvii−vii線に沿った断面説明図である。
【図８】本発明の第２の実施形態における一方側のプラグコネクタの接点部を、他方側のリセプタクルコネクタの接点部に対して上方側から嵌合する際の工程を拡大して表したものであって、（ａ）は嵌合の初期段階を表した縦断面説明図、（ｂ）は突起状摺動部が溝状摺動部に乗り上げた状態を表した縦断面説明図、（ｃ）は嵌合を完了した状態を表した縦断面説明図である。
【図９】本発明の第２の実施形態における一方側のプラグコネクタの接点部を、他方側のリセプタクルコネクタの接点部に対して上方側から嵌合する際の工程を拡大して表したものであって、（ａ）は嵌合の初期段階を表した横断面説明図、（ｂ）は突起状摺動部が溝状摺動部に乗り上げた状態を表した横断面説明図、（ｃ）は嵌合を完了した状態を表した横断面説明図である。
【図１０】本発明における突起状摺動部と溝状摺動部との接触関係の他の実施形態を拡大した横断面説明図である。
【図１１】本発明における突起状摺動部と溝状摺動部との幅寸法の関係を拡大して表したものであって、（ａ）は突起状摺動部の幅寸法が溝状摺動部の幅寸法より小さい場合の横断面説明図、（ｂ）は突起状摺動部の幅寸法と溝状摺動部の幅寸法とが略等しい場合の横断面説明図、（ｃ）は突起状摺動部の幅寸法が溝状摺動部の幅寸法より大きい場合の横断面説明図である。
【符号の説明】
【００６２】
１  プラグコネクタ（第１のコネクタ手段）
２  リセプタクルコネクタ（第２のコネクタ手段）
ＳＣ  同軸ケーブル
ＳＣａ  ケーブル中心導体
ＳＣｂ  ケーブル外部導体
１１  絶縁ハウジング
１２  導電コンタクト（導電端子）
１２ｃ  平面状接点部
１２ｄ  突起状摺動部（ピンプル）
１２ｄ１，１２ｄ２  ガイド突規制部
２１  絶縁ハウジング
２２  導電コンタクト（導電端子）
２２ｃ  湾曲状接点部
２２ｄ  溝状摺動部
【図１】
0005018535.tif 000002
【図２】
0005018535.tif 000003
【図３】
0005018535.tif 000004
【図４】
0005018535.tif 000005
【図５】
0005018535.tif 000006
【図６】
0005018535.tif 000007
【図７】
0005018535.tif 000008
【図８】
0005018535.tif 000009
【図９】
0005018535.tif 000010
【図１０】
0005018535.tif 000011
【図１１】
0005018535.tif 000012